(57)【要約】【課題】簡単にアラームスイッチを操作してアラーム機能を解除することができない目覚まし時計を提供する。【解決手段】時計本体１１の下部に駆動輪１５と従動輪１６を設ける。時計本体１１の内部に組み込まれたアラーム装置によるアラーム動作が開始され、所定時間が経過した後に、駆動輪１５を作動して目覚まし時計を就寝者の枕元から遠ざける。このため寝ぼけた就寝者がアラームスイッチ釦２４を誤って操作してアラーム機能を解除することがない。【選択図】図１
2007155450.tif 000002
【特許請求の範囲】
【請求項１】
目覚まし時計であって、該目覚まし時計のアラーム装置の作動に基づいて目覚まし時計本体を移動させる移動手段を備えたことを特徴とする目覚まし時計。
【請求項２】
スヌーズ機能を有するスヌーズ手段を備えたことを特徴とする請求項１に記載の目覚まし時計。
【請求項３】
前記目覚まし時計本体は、車両であることを特徴とする請求項１又は２に記載の目覚まし時計。
【請求項４】
前記移動手段は、時計本体をランダムに移動する制御手段を備えていることを特徴とする請求項１〜３のいずれか１項に記載の目覚まし時計。
【請求項５】
前記移動手段は、アラーム装置の作動開始から所定時間経過後に時計本体を移動するように構成されていることを特徴とする請求項１〜４のいずれか１項に記載の目覚まし時計。
【発明の詳細な説明】
【技術分野】
【０００１】
本発明は、目覚まし時計に関する。
【背景技術】
【０００２】
従来、様々な目覚まし時計が提案されている。
【発明の開示】
【発明が解決しようとする課題】
【０００３】
しかし、従来の目覚まし時計は、例えば枕元の手の届く範囲の所定位置に置かれたままであるため、寝起きの悪い就寝者にとっては、寝ぼけたままアラームスイッチを操作してアラーム機能を解除してしまうことがあり、目覚まし時計として十分に機能しないことがあった。
【０００４】
本発明は、上記問題点を解決するためになされたものであって、簡単にアラームスイッチを操作してアラーム機能を解除することができない目覚まし時計を提供することを目的とする。
【課題を解決するための手段】
【０００５】
上記問題点を解決するために、請求項１に記載の発明は、目覚まし時計であって、該目覚まし時計のアラーム装置の作動に基づいて目覚まし時計本体を移動させる移動手段を備えたことを要旨とする。
【０００６】
この発明によれば、目覚まし時計のアラーム装置の作動に基づいて、移動手段により目覚まし時計本体が移動する。このため、目覚まし時計のアラームスイッチを操作してアラーム機能を解除するためには、就寝者は起きあがらなければならず、寝ぼけたままアラームスイッチが操作されることがなく、より確実に就寝者を目覚めさせることができる。
【０００７】
請求項２に記載の発明は、請求項１に記載の目覚まし時計において、スヌーズ機能を有するスヌーズ手段をさらに備えたを有することを要旨とする。
この発明によれば、スヌーズ機能により、一旦アラームスイッチを操作してアラーム機能を解除したとしても、所定時間経過後に、再度アラーム装置が作動する。このため、より確実に就寝者を目覚めさせることができる。
【０００８】
請求項３に記載の発明は、請求項１又は２に記載の目覚まし時計において、前記目覚まし時計本体体は、車両であることを要旨とする。
この発明によれば、目覚まし時計本体体は、車両であるため、例えば、目覚まし時計を床に置き、アラーム装置の作動時にこれを走行させることができる。
【０００９】
請求項４に記載の発明は、請求項１〜３のいずれか１項に記載の目覚まし時計において、時計本体をランダムに移動する制御手段を備えていることを要旨とする。
この発明によれば、移動手段により時計本体がランダムに移動するため、その移動方向が予測できない。このため、就寝者は起きあがって目覚まし時計の場所を探した上でアラームスイッチを操作しアラーム機能を解除しなければならいため、より確実に就寝者を目覚めさせることができる。
【００１０】
請求項５に記載の発明は、請求項１〜４のいずれか１項に記載の目覚まし時計において、前記移動手段は、アラーム装置の作動開始から所定時間経過後に時計本体を移動するように構成されていることを要旨とする。
【００１１】
この発明によれば、就寝者が所定時間内に目覚めた場合には、枕元から目覚まし時計が移動していないので、枕元でアラームスイッチを操作しアラーム機能を解除することができる。このため、就寝者に対してより早く目覚めさせるよう意識付けさせることができる。
【発明の効果】
【００１２】
本発明によれば、目覚まし時計のアラーム装置の作動に基づいて移動手段により目覚まし時計本体が移動するため、簡単にアラームスイッチを操作してアラーム機能を解除することができず、より確実に就寝者を目覚めさせることができる。
【発明を実施するための最良の形態】
【００１３】
以下、本発明を具体化した目覚まし時計の一実施形態を図面に従って説明する。
図１及び図２に示すように、目覚まし時計の時計本体１１は、全体がほぼ直方体状に形成され、その外観は車両としての電車の一両分に類似したものとなっている。この時計本体１１の前側（図１の左側）底部には、操舵用モータ１２によって旋回される旋回台座１３が装着され、該旋回台座１３には、走行用モータ１４と該走行用モータ１４によって回転される一対の駆動輪１５が装着されている。時計本体１１の後側（図１の右側）底部には、図２に示すように左右一対の従動輪１６が所定位置において回転可能に装着されている。
【００１４】
図１に示すように前記時計本体１１の正面（車両として見た場合には右側面）中央部には、日付と時刻をデジタル表示するための液晶表示パネル１７が装着されている。時計本体１１の中央部上面にはブザー１８が装着され、このブザー１８の鳴動によって就寝者に聴覚的刺激が与えられるようになっている。
【００１５】
前記時計本体１１には、図３に示すブザー１８等の動作を制御する制御装置が備えられている。この制御装置のアラーム動作の開始時刻を設定する時刻設定回路２０には、時刻セット用の押し釦式のスイッチ釦２１が接続されている。そして、この時刻設定回路２０によって設定された時刻に目安信号（一致信号）を出力するものであり、この時刻設定回路２０にはアラーム動作の制御を行うアラーム制御回路２２が接続されている。このアラーム制御回路２２には前記ブザー１８の鳴動を駆動するブザー駆動回路２３が接続され、このブザー駆動回路２３には前記ブザー１８が接続されている。前記アラーム制御回路２２には就寝時に一回押動する操作を行うことによりアラーム制御回路２２のアラーム機能を作動させるアラームスイッチ釦２４が接続され、このアラームスイッチ釦２４を起床時に再び一回押動する操作を行うと、アラーム制御回路２２のアラーム機能が解除されるようになっている。
【００１６】
一方、前記時計本体１１の内部には、図３に示すようにスヌーズスイッチ釦３１の一回の押動操作で作動し、前記アラーム制御回路２２を制御して鳴動中の前記ブザー１８を所定時間（例えば５分）の間一時的に停止させるスヌーズ制御回路３２が配設され、このスヌーズ制御回路３２の出力端子には前記アラーム制御回路２２が接続されている。前記スヌーズスイッチ釦３１を再び一回押動する操作を行うと、スヌーズ制御回路３２のスヌーズ機能が解除されるようになっている。
【００１７】
前記アラーム制御回路２２には制御手段としての操舵用モータ制御回路３３と走行用モータ制御回路３４が接続され、両制御回路にはそれぞれモータ駆動回路３５，３６を介して前記操舵用モータ１２と走行用モータ１４が接続されている。前記操舵用モータ制御回路３３と走行用モータ制御回路３４の記憶媒体（図示略）には、前記操舵用モータ１２の自動制御を行う動作プログラムと、走行用モータ１４の自動制御を行う動作プログラムとが予め記憶されている。そして、前記アラーム制御回路２２からブザー駆動回路２３に動作信号が出力されてブザー１８が鳴動を開始してから両モータ制御回路３３，３４のタイマー（図示略）により予め設定された所定時間（例えば１５秒）が経過した後に前記操舵用モータ１２と走行用モータ１４を自動制御して目覚まし時計を玩具（電車等の車両玩具）としてランダムに自動走行させるようにしている。
【００１８】
図２に示すように、時計本体１１の底部には、目覚まし時計を、単に時計として機能させる「時計モード」と、前記ブザー１８を鳴動させるアラーム機能及び目覚まし時計を前記駆動輪１５を駆動して走行させる機能である「アラーム・走行モード」と、目覚まし時計を、玩具として常時走行させる「玩具モード」との間で択一的に切り替えるモード選択スイッチ４１が設けられている。
【００１９】
前記時計本体１１の正面右側には、前記モード選択スイッチ４１により目覚まし時計が「アラーム・走行モード」に選択された状態において、該目覚まし時計を、「時計モード」と「アラームモード」との間で切り替えるためのモード切替スイッチ釦４２が設けられている。前記モード切替スイッチ釦４２の直下には前記スイッチ釦２１が設けられ、このスイッチ釦２１によって液晶表示パネル１７に表示された例えば日付や時刻を変更設定することも可能となっている。前記モード切替スイッチ釦４２がオンされると、前記液晶表示パネル１７の時間表示部が点滅し、この状態で前記スイッチ釦２１を一回押すことにより「時計モード」から「アラームモード」に切り換えられ、再度一回押すことにより「アラームモード」から「時計モード」に切り換えられるようになっている。
【００２０】
図１に示すように、前記時計本体１１の後側上部には、前記アラームスイッチ釦２４が設けられている。スイッチ釦２１の直下には前記スヌーズスイッチ釦３１が設けられている。
【００２１】
図２に示すように、時計本体１１の底部には音量スイッチ４４が設けられ、前記ブザー１８から出力される音量を調整することができるようになっている。この実施形態では、音量スイッチ４４によって「音量大」又は「音量小」の設定が可能である。図１に示すように、時計本体１１の上部には液晶ライト釦４５が設けられ、このライト釦４５を一回押すことにより、液晶表示パネル１７のバックライト（図示略）が点灯され、暗所における時計の時刻設定等の操作を行い易くしている。又、釦４５から手を離すと例えば５秒後にライトが消灯されるように構成されている。
【００２２】
この実施形態では、前記ブザー１８、前記時刻設定回路２０、アラーム制御回路２２、ブザー駆動回路２３及びアラームスイッチ釦２４等によりアラーム装置が構成されている。又、この実施形態では、前記スヌーズスイッチ釦３１及びスヌーズ制御回路３２等により前記アラーム装置にスヌーズ機能を行わせるスヌーズ手段を構成している。さらに、この実施形態では、前記操舵用モータ１２、旋回台座１３、走行用モータ１４、操舵用及び走行用モータ制御回路３３，３４及びモータ駆動回路３５，３６等により時計本体１１の移動手段が構成されている。
【００２３】
前記時計本体１１の下部には図２に示すように蓄電池４６が収容され、該蓄電池４６から前述したアラーム装置、スヌーズ手段及び移動手段等に作動用電源が供給されるようになっている。なお、蓄電池４６は開閉可能な蓋４７によって遮蔽されている。  
【００２４】
次に、前記のように構成された目覚まし時計の動作について説明する。
前記目覚まし時計の液晶表示パネル１７に通常の時刻表示画面が表示された状態において、前記モード切替スイッチ釦４２を一回押動すると、アラームのオン・オフの設定画面に切り替えられ、時刻が点滅した状態で表示される。ここで、アラーム時刻を液晶表示パネル１７の画面を見ながらスイッチ釦２１を操作するこにより起床したい時刻を例えば翌朝の午前６時３０分に設定する。このアラーム時刻の設定が終了した後、前記アラームスイッチ釦２４を一回押動すると、液晶表示パネル１７にアラームのマークが表示され、アラーム時刻の設定が完了する。さらに、前記スヌーズスイッチ釦３１を一回押動すると、「アラーム・スヌーズ」モードのマークが表示され、「アラーム・スヌーズ」の設定が完了する。
【００２５】
前記時刻設定回路２０によって予め設定されたアラーム時刻（午前６時３０分）になると、前記アラーム制御回路２２からブザー駆動回路２３に動作信号が出力され、ブザー１８が鳴動される。ブザー１８の鳴動が開始されてから、所定時間（例えば１５秒）の間に就寝者が鳴動による音響的刺激により目覚めることができた場合には、起床者によって前記アラームスイッチ釦２４が再度一回押動されてアラーム機能が解除される。
【００２６】
所定時間（例えば１５秒）の間に就寝者が鳴動による音響的刺激によって目覚めることができない場合には、アラーム制御回路２２から操舵用モータ制御回路３３及び走行用モータ制御回路３４に動作信号が出力され、モータ駆動回路３５，３６によって操舵用モータ１２及び走行用モータ１４が作動され、時計本体１１が予め設定された走行動作プログラムに基づいて就寝者の枕元から遠ざかる方向にランダムに走行移動される。そして、所定時間（例えば５分）経過後に、スヌーズ制御回路３２及びアラーム制御回路２２からの信号によりブザー１８が所定時間（例えば１５秒）だけ鳴動される。この再度の鳴動によって就寝者は目覚めることができる。
【００２７】
上記実施形態の目覚まし時計によれば、以下のような効果を得ることができる。
（１）上記実施形態では、目覚まし時計のアラーム装置の作動に基づいて移動手段により目覚まし時計本体１１が移動するため、就寝者が寝ぼけていても簡単にアラームスイッチ釦２４を操作してアラーム機能を解除することができず、より確実に就寝者を目覚めさせることができる。
【００２８】
（２）上記実施形態では、スヌーズ機能を有するスヌーズ制御回路３２を設けたので、一旦アラームスイッチ釦２４を操作してアラーム機能を解除したとしても、所定時間経過後に、再度アラーム装置が作動する。このため、より確実に就寝者を目覚めさせることができる。
【００２９】
（３）上記実施形態では、前記目覚まし時計本体１１は、駆動輪１５及び従動輪１６を備えた車両として走行するため、例えば、目覚まし時計を床に置き、アラーム装置の作動時に走行させることができる。
【００３０】
（４）上記実施形態では、前記移動手段は、時計本体１１をランダムに移動する制御回路３３，３４を備えているので、目覚まし時計の移動方向が予測できない。このため、就寝者は起きあがって目覚まし時計の場所を探した上でアラームスイッチ釦２４を操作してアラーム機能を解除しなければならいため、より確実に就寝者を目覚めさせることができる。
【００３１】
（５）上記実施形態では、前記移動手段は、アラーム装置の作動開始から所定時間（例えば１５秒）経過後に時計本体１１を移動するように構成されている。このため、就寝者が所定時間内に目覚めた場合には、枕元から目覚まし時計が移動していないので、アラームスイッチ釦２４を操作してアラーム機能を解除することができる。このため、就寝者に対してより早く目覚めさせるよう意識付けさせることができる。
【００３２】
なお、本実施形態は以下のように変更してもよい。
・目覚まし時計の移動手段として、例えば一定のレール上を時計本体１１が旋回するように構成したり、上方に持ち上げられるように構成したりしてもよい。
【００３３】
・前記操舵用モータ制御回路３３及び走行用モータ制御回路３４による時計本体１１の走行運動を一定半径で旋回する運動が行われるように設定したり、直線的に往復動するようにしたりしてもよい。
【００３４】
・図示しないが、時計本体１１の移動手段として、駆動輪及びモータに代えて、時計本体の支持脚を振動機構により振動させ、時計本体１１をランダムに移動させるようにしてもよい。
【００３５】
・図示しないが、操舵用モータ１２を省略してもよい。
・図示しないが、前記ブザー１８の鳴動開始と同時に移動手段による目覚まし時計の移動を開始してもよい。
【００３６】
・図示しないが、時計本体１１をランダムに移動する制御手段として、左右の駆動輪を別々のモータにより独立して回転するようにし、両モータの回転数をモータ制御回路によりそれぞれ制御するように構成してもよい。
【００３７】
・前記蓄電池４６に代えて、家庭用交流電源から交流・直流変換器を備えたリード線を通して目覚まし時計に直流電源を供給するようにしてもよい。
・アラーム装置の前記ブザー１８に代えて、又は加えて照明手段を用いてもよい。
【００３８】
・時計本体１１の形状として、自動車、トラック、救急車、消防車、パトカー等の車両、飛行機、ヘリコプター、ＵＦＯ（ｕｎｉｄｅｎｔｉｆｉｅｄ  ｆｌｙｉｎｇ  ｏｂｊｅｃｔ）等の乗物、さらには犬や猫、熊や猿等の動物の形状等としてもよい。
【図面の簡単な説明】
【００３９】
【図１】この発明の目覚まし時計を具体化した一実施形態を示す正面図。
【図２】目覚まし時計の底面図。
【図３】目覚まし時計の動作を制御するブロック回路図。
【符号の説明】
【００４０】
１２…操舵用モータ、１３…旋回台座、１４…走行用モータ、１５…駆動輪、１８…ブザー、２２…アラーム制御回路、２４…アラームスイッチ釦、３１…スヌーズスイッチ釦、３２…スヌーズ制御回路、３３，３４…制御手段としての制御回路。
【図１】
2007155450.tif 000003
【図２】
2007155450.tif 000004
【図３】
2007155450.tif 000005